【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
文書の一覧を表示する第１の表示手段と、
前記文書の一覧からユーザーが文書の選択を受け付けた場合に、選択された前記文書に含まれるページを表示する第２の表示手段と、
前記ページを削除する指示をユーザーから受け付けた場合に、前記ページを印刷対象から外す削除手段と、
前記印刷対象から外された前記ページを削除ページとして表示する第３の表示手段と、
前記削除ページを復元する指示をユーザーから受け付けた場合に、前記削除ページを印刷対象に戻す復元手段と、を有することを特徴とする情報処理装置。
【請求項２】
前記第３の表示手段は、前記削除ページを、印刷対象のページと識別可能に表示することで前記削除ページとして表示することを特徴とする請求項１に記載の情報処理装置。
【請求項３】
印刷設定に基づくレイアウト処理が行われてかつ前記削除ページ以外のページを含む印刷イメージをプレビューウィンドウ内の第１の領域に表示する第４の表示手段をさらに有し、
前記第２の表示手段及び前記第３の表示手段は、前記第１の領域に表示された前記印刷イメージと共に、前記レイアウト処理が行われておらずかつ前記削除ページを含むページを前記プレビューウィンドウ内の第２の領域に表示することを特徴とする請求項１又は請求項２に記載の情報処理装置。
【請求項４】
前記第４の表示手段は、前記削除ページの次のページを詰めて表示することにより、前記削除ページ以外のページを含む前記印刷イメージを表示することを特徴とする請求項３に記載の情報処理装置。
【請求項５】
前記削除ページを表示するか否かの指示をユーザーから受け付ける受付手段をさらに有し、
前記第３の表示手段は、前記受付手段が前記削除ページを表示する指示を受け付けた場合に、前記削除ページを前記第２の領域に表示し、前記受付手段が前記削除ページを非表示にする指示を受け付けた場合に、前記削除ページを前記第２の領域に表示しないことを特徴とする請求項３又は請求項４に記載の情報処理装置。
【請求項６】
前記ページを削除する指示を受け付けた場合に、前記復元手段により前記削除ページを印刷対象に戻すこと以外の編集を禁止する禁止手段をさらに有することを特徴とする請求項１乃至５何れか１項に記載の情報処理装置。
【請求項７】
第１の領域と第２の領域をプレビューウィンドウ内に共に表示する情報処理装置であって、
印刷対象の文書に含まれるページを前記第１の領域に表示する第１の表示手段と、
前記ページを削除する指示をユーザーから受け付けた場合に、前記ページを印刷対象から外す削除手段と、
印刷対象から外されたページを削除ページとして前記第１の領域に表示する第２の表示手段と、
印刷設定に基づくレイアウト処理が行われてかつ前記削除ページ以外のページを含む印刷イメージを前記第２の領域に表示する第３の表示手段と、
前記削除ページを復元する指示をユーザーから受け付けた場合に、前記削除ページを印刷対象に戻す復元手段と、を有することを特徴とする情報処理装置。
【請求項８】
前記第２の表示手段は、前記削除ページを、印刷対象のページと識別可能に表示することで、前記削除ページとして表示することを特徴とする請求項７に記載の情報処理装置。
【請求項９】
前記第３の表示手段は、前記第１の表示手段により前記第１の領域に表示された前記ページと同一ページであって、前記レイアウト処理が行われた前記ページを含む前記印刷イメージを表示することを特徴とする請求項７又は請求項８に記載の情報処理装置。
【請求項１０】
前記第３の表示手段は、前記削除ページの次のページを詰めて表示することにより、前記削除ページ以外のページを含む前記印刷イメージを表示することを特徴とする請求項７乃至９何れか１項に記載の情報処理装置。
【請求項１１】
前記第３の表示手段は、前記復元手段により印刷対象に戻された前記ページを含む印刷イメージを表示することを特徴とする請求項７乃至１０何れか１項に記載の情報処理装置。
【請求項１２】
前記削除ページを表示するか否かの指示をユーザーから受け付ける受付手段をさらに有し、
前記第２の表示手段は、前記受付手段が前記削除ページを表示する指示を受け付けた場合に、前記削除ページを前記第１の領域に表示し、前記受付手段が前記削除ページを非表示にする指示を受け付けた場合に、前記削除ページを前記第１の領域に表示しないことを特徴とする請求項７乃至１１何れか１項に記載の情報処理装置。
【請求項１３】
前記ページを削除する指示を受け付けた場合に、前記復元手段により前記削除ページを印刷対象に戻すこと以外の編集を禁止する禁止手段をさらに有することを特徴とする請求項７乃至１２何れか１項に記載の情報処理装置。
【請求項１４】
コンピュータに、
文書の一覧を表示する第１の表示工程と、
前記文書の一覧からユーザーが文書の選択を受け付けた場合に、選択された前記文書に含まれるページを表示する第２の表示工程と、
前記ページを削除する指示をユーザーから受け付けた場合に、前記ページを印刷対象から外す削除工程と、
前記印刷対象から外された前記ページを削除ページとして表示する第３の表示工程と、
前記削除ページを復元する指示をユーザーから受け付けた場合に、前記削除ページを印刷対象に戻す復元工程と、を実行させることを特徴とするプログラム。
【請求項１５】
前記第３の表示工程は、前記削除ページを、印刷対象のページと識別可能に表示することで前記削除ページとして表示することを特徴とする請求項１４に記載のプログラム。
【請求項１６】
前記コンピュータに、
印刷設定に基づくレイアウト処理が行われてかつ前記削除ページ以外のページを含む印刷イメージをプレビューウィンドウ内の第１の領域に表示する第４の表示工程をさらに実行させ、
前記第２の表示工程及び前記第３の表示工程は、前記第１の領域に表示された前記印刷イメージと共に、前記レイアウト処理が行われておらずかつ前記削除ページを含むページを前記プレビューウィンドウ内の第２の領域に表示することを特徴とする請求項１４又は請求項１５に記載のプログラム。
【請求項１７】
前記第４の表示工程は、前記削除ページの次のページを詰めて表示することにより、前記削除ページ以外のページを含む前記印刷イメージを表示することを特徴とする請求項１６に記載のプログラム。
【請求項１８】
前記コンピュータに、
前記削除ページを表示するか否かの指示をユーザーから受け付ける受付工程をさらに実行させ、
前記第３の表示工程は、前記受付工程で前記削除ページを表示する指示を受け付けた場合に、前記削除ページを前記第２の領域に表示し、前記受付工程で前記削除ページを非表示にする指示を受け付けた場合に、前記削除ページを前記第２の領域に表示しないことを特徴とする請求項１６又は請求項１７に記載のプログラム。
【請求項１９】
前記コンピュータに、
前記ページを削除する指示を受け付けた場合に、前記復元工程による前記削除ページを印刷対象に戻すこと以外の編集を禁止する禁止工程をさらに実行させることを特徴とする請求項１４乃至１８何れか１項に記載のプログラム。
【請求項２０】
コンピュータに、
第１の領域と第２の領域をプレビューウィンドウ内に共に表示するコンピュータにおいて実行されるプログラムであって、
印刷対象の文書に含まれるページを前記第１の領域に表示する第１の表示工程と、
前記ページを削除する指示をユーザーから受け付けた場合に、前記ページを印刷対象から外す削除工程と、
印刷対象から外されたページを削除ページとして前記第１の領域に表示する第２の表示工程と、
印刷設定に基づくレイアウト処理が行われてかつ前記削除ページ以外のページを含む印刷イメージを前記第２の領域に表示する第３の表示工程と、
前記削除ページを復元する指示をユーザーから受け付けた場合に、前記削除ページを印刷対象に戻す復元工程と、を実行させることを特徴とするプログラム。
【請求項２１】
前記第２の表示工程は、前記削除ページを、印刷対象のページと識別可能に表示することで、前記削除ページとして表示することを特徴とする請求項２０に記載のプログラム。
【請求項２２】
前記第３の表示工程は、前記第１の表示工程により前記第１の領域に表示された前記ページと同一ページであって、前記レイアウト処理が行われた前記ページを含む前記印刷イメージを表示することを特徴とする請求項２０又は請求項２１に記載のプログラム。
【請求項２３】
前記第３の表示工程は、前記削除ページの次のページを詰めて表示することにより、前記削除ページ以外のページを含む前記印刷イメージを表示することを特徴とする請求項２０乃至２２何れか１項に記載のプログラム。
【請求項２４】
前記第３の表示工程は、前記復元工程により印刷対象に戻された前記ページを含む前記印刷イメージを表示することを特徴とする請求項２０乃至２３何れか１項に記載のプログラム。
【請求項２５】
前記コンピュータに、
前記削除ページを表示するか否かの指示をユーザーから受け付ける受付工程をさらに実行させ、
前記第２の表示工程は、前記受付工程で前記削除ページを表示する指示を受け付けた場合に、前記削除ページを前記第１の領域に表示し、前記受付工程で前記削除ページを非表示にする指示を受け付けた場合に、前記削除ページを前記第１の領域に表示しないことを特徴とする請求項２０乃至２４何れか１項に記載のプログラム。
【請求項２６】
前記コンピュータに、
前記ページを削除する指示を受け付けた場合に、前記復元工程により前記削除ページを印刷対象に戻すこと以外の編集を禁止する禁止工程をさらに実行させることを特徴とする請求項２０乃至２５何れか１項に記載のプログラム。
【請求項２７】
文書の一覧を表示する第１の表示工程と、
前記文書の一覧からユーザーが文書の選択を受け付けた場合に、選択された前記文書に含まれるページを表示する第２の表示工程と、
前記ページを削除する指示をユーザーから受け付けた場合に、前記ページを印刷対象から外す削除工程と、
前記印刷対象から外された前記ページを削除ページとして表示する第３の表示工程と、
前記削除ページを復元する指示をユーザーから受け付けた場合に、前記削除ページを印刷対象に戻す復元工程と、を有することを特徴とする制御方法。
【手続補正２】
【補正対象書類名】明細書
【補正対象項目名】発明の名称
【補正方法】変更
【補正の内容】
【発明の名称】情報処理装置、制御方法、及びプログラム
【手続補正３】
【補正対象書類名】明細書
【補正対象項目名】０００１
【補正方法】変更
【補正の内容】
【０００１】
本発明は、情報処理装置、制御方法、及びプログラムに関する。
【手続補正４】
【補正対象書類名】明細書
【補正対象項目名】０００６
【補正方法】変更
【補正の内容】
【０００６】
そこで、本発明に係る情報処理装置は、文書の一覧を表示する第１の表示手段と、前記文書の一覧からユーザーが文書を選択した場合に、前記文書に含まれるページを表示する第２の表示手段と、前記ページを削除する指示をユーザーから受け付けた場合に、前記ページを印刷対象から外す削除手段と、前記印刷対象から外された前記ページを削除ページとして表示する第３の表示手段と、前記削除ページを復元する指示をユーザーから受け付けた場合に、前記削除ページを印刷対象に戻す復元手段と、を有することを特徴とする。
また、本発明に係る他の情報処理装置は、第１の領域と第２の領域をプレビューウィンドウ内に共に表示する情報処理装置であって、印刷対象の文書に含まれるページを前記第１の領域に表示する第１の表示手段と、前記ページを削除する指示をユーザーから受け付けた場合に、前記ページを印刷対象から外す削除手段と、印刷対象から外されたページを削除ページとして前記第１の領域に表示する第２の表示手段と、印刷設定に基づくレイアウト処理が行われてかつ前記削除ページ以外のページを含む印刷イメージを前記第２の領域に表示する第３の表示手段と、前記削除ページを復元する指示をユーザーから受け付けた場合に、前記削除ページを印刷対象に戻す復元手段と、を有することを特徴とする。